(57)【要約】【課題】プラズマディスプレイの黒表示時、あるいは低階調を表示するときの映像品位を向上させることを目的とする。【解決手段】走査電極２と維持電極３が互いに平行に配置された基板１と、前記走査電極２及び維持電極３と直交するように赤、緑、青の放電セルに対応させてデータ電極１０を配置した基板８とを備えたプラズマディスプレイパネルに、初期化期間、書き込み期間、維持期間を設けて表示駆動するプラズマディスプレイの駆動方法であって、初期化期間において、赤、緑、青の放電セルに対応するデータ電極１０のうち、一種類以上のデータ電極１０に他と異なる正の電圧を印加するものである。【選択図】　図１
2004069734.tif 000002
【特許請求の範囲】
【請求項１】
第１電極と第２電極が互いに平行に配置された第１基板と、前記第１電極及び第２電極と直交するように赤、緑、青の放電セルに対応させて第３電極を配置した第２基板とを備え、前記第１基板と第２基板とを対向配置して構成したプラズマディスプレイパネルに、初期化期間、書き込み期間、維持期間を設けて表示駆動するプラズマディスプレイの駆動方法であって、初期化期間において、赤、緑、青の放電セルに対応する第３電極のうち、一種類以上の第３電極に他と異なる正の電圧を印加することを特徴とするプラズマディスプレイの駆動方法。
【請求項２】
第１電極及び第２電極のうち、初期化期間に初期化電圧が印加される側の電極と第３電極間の放電開始電圧によって、初期化期間の第３電極の電位を決めることを特徴とする請求項１記載のプラズマディスプレイの駆動方法。
【請求項３】
放電開始電圧が低い第３電極に高い電圧を印加することを特徴とする請求項２記載のプラズマディスプレイの駆動方法。
【請求項４】
初期化期間において、第３電極に印加する正の電圧の印加期間が、赤、緑、青の放電セルに対応する第３電極のうちの一種類以上において異なることを特徴とする請求項１記載のプラズマディスプレイの駆動方法。
【請求項５】
第１電極及び第２電極のうち、初期化期間に初期化電圧が印加される側の電極と第３電極間の放電開始電圧によって、初期化期間の第３電極に印加する正の電圧の印加期間を決めることを特徴とする請求項４記載のプラズマディスプレイの駆動方法。
【請求項６】
第３電極に印加する電圧が、緩やかに上昇する部分を含むことを特徴とする請求項１記載のプラズマディスプレイの駆動方法。
【請求項７】
第３電極に印加する電圧が、ランプ状に変化する部分を含むことを特徴とする請求項１記載のプラズマディスプレイの駆動方法。
【請求項８】
第３電極に印加する電圧が、指数関数的に変化する部分を含むことを特徴とする請求項１記載のプラズマディスプレイの駆動方法。
【発明の詳細な説明】
【０００１】
【発明の属する技術分野】
本発明は、大画面で、薄型、軽量のディスプレイ装置として知られているプラズマディスプレイの駆動方法に関するものである。
【０００２】
【従来の技術】
近年、プラズマディスプレイパネル（ＰＤＰ）を用いたディスプレイは、視認性に優れた表示パネル（薄型表示デバイス）として注目されており、高精細化及び大画面化が進められている。
【０００３】
このＰＤＰには、大別して、駆動的にはＡＣ型とＤＣ型があり、放電形式では面放電型と対向放電型の２種類があるが、高精細化、大画面化及び製造の簡便性から、現状では、ＡＣ型で面放電型のＰＤＰが主流を占めるようになってきている。
【０００４】
図４にＰＤＰにおけるパネル構造の一例を示している。図４に示すように、ガラス基板などの透明な第１基板である前面側の基板１上には、第１電極である走査電極２と第２電極である維持電極３とで対をなすストライプ状の表示電極４が複数対形成され、そして基板１上の隣り合う表示電極４間には遮光層５が配置形成されている。この走査電極２及び維持電極３は、それぞれ透明電極２ａ、３ａ及びこの透明電極２ａ、３ａに電気的に接続された銀等のバス電極２ｂ、３ｂとから構成されている。また、前記前面側の基板１には、前記複数対の電極群を覆うように誘電体層６が形成され、その誘電体層６上には保護膜７が形成されている。
【０００５】
また、前記前面側の基板１に対向配置される第２基板である背面側の基板８上には、走査電極２及び維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、この隔壁１１間の側面１１ａ及び絶縁体層９の表面に蛍光体層１２が設けられている。
【０００６】
これらの基板１と基板８とは、走査電極２及び維持電極３とデータ電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００７】
次に、このパネルの電極配列図を図５に示す。図５に示すように、このパネルの電極配列はｍ×ｎのマトリックス構成であり、列方向にはｍ列のデータ電極Ｄ１〜Ｄｍが配列されており、行方向にはｎ行の走査電極ＳＣＮ１〜ＳＣＮｎ及び維持電極ＳＵＳ１〜ＳＵＳｎが配列されている。また、図４に示した放電セル１３は図５に示すように構成されている。
【０００８】
このパネルを駆動するための従来の駆動方法の動作駆動タイミング図を図６に示す。この駆動方法は２５６階調の階調表示を行うためのものであり、１フィールド期間を８個のサブフィールドで構成している。以下、従来のパネルの駆動方法について、説明する。
【０００９】
図６に示すように、第１ないし第８のサブフィールドはそれぞれ初期化期間、書き込み期間、維持期間及び消去期間から構成されている。まず、第１のサブフィールドにおける動作について説明する。
【００１０】
図６に示すように、初期化期間の前半の初期化動作において、全てのデータ電極Ｄ１〜Ｄｍ及び全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を越える電圧Ｖｒ（Ｖ）に向かって緩やかに上昇するランプ電圧を印加する。このランプ電圧が上昇する間に、全ての放電セル１３において、全ての走査電極ＳＣＮ１〜ＳＣＮｎから全てのデータ電極Ｄ１〜Ｄｍ及び全ての維持電極ＳＵＳ１〜ＳＵＳｎにそれぞれ一回目の微弱な初期化放電が起こり、走査電極ＳＣＮ１〜ＳＣＮｎ上の保護膜７の表面に負の壁電圧が蓄積されるとともに、データ電極Ｄ１〜Ｄｍ上の絶縁体層９の表面及び維持電極ＳＵＳ１〜ＳＵＳｎ上の保護膜７の表面には正の壁電圧が蓄積される。
【００１１】
さらに、初期化期間の後半の初期化動作において、全ての維持電極ＳＵＳ１〜ＳＵＳｎを正電圧Ｖｈ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を越える０（Ｖ）に向かって緩やかに下降するランプ電圧を印加する。このランプ電圧が下降する間に、再び全ての放電セル１３において、全ての維持電極ＳＵＳ１〜ＳＵＳｎから全ての走査電極ＳＣＮ１〜ＳＣＮｎにそれぞれ二回目の微弱な初期化放電が起こり、走査電極ＳＣＮ１〜ＳＣＮｎ上の保護膜７表面の負の壁電圧及び維持電極ＳＵＳ１〜ＳＵＳｎ上の保護膜７表面の正の壁電圧が弱められる。一方、データ電極Ｄ１〜Ｄｍ上の絶縁体層９の表面の正の壁電圧はそのまま保たれる。以上により初期化期間の初期化動作が終了する。
【００１２】
次の書き込み期間の書き込み動作において、全ての走査電極ＳＣＮ１〜ＳＣＮｎをＶｓ（Ｖ）に保持し、データ電極Ｄ１〜Ｄｍのうち、第一行目に表示すべき放電セル１３に対応する所定のデータ電極に正の書き込みパルス電圧Ｖｗ（Ｖ）を、第一行目の走査電極ＳＣＮ１に走査パルス電圧０（Ｖ）をそれぞれ印加する。このとき、所定のデータ電極と走査電極ＳＣＮ１との交差部における絶縁体層９の表面と走査電極ＳＣＮ１上の保護膜７の表面との間の電圧は、書き込みパルス電圧Ｖｗ（Ｖ）にデータ電極Ｄ１〜Ｄｍ上の絶縁体層９の表面の正の壁電圧が加算されたものとなるため、この交差部において、所定のデータ電極と走査電極ＳＣＮ１との間及び維持電極ＳＵＳ１と走査電極ＳＣＮ１との間に書き込み放電が起こり、この交差部の走査電極ＳＣＮ１上の保護膜７表面に正電圧が蓄積され、維持電極ＳＵＳ１上の保護膜７表面に負電圧が蓄積され、書き込み放電が起こったデータ電極上の絶縁体層９の表面に負電圧が蓄積される。
【００１３】
次に、データ電極Ｄ１〜Ｄｍのうち、第二行目に表示すべき放電セル１３に対応する所定のデータ電極に正の書き込みパルス電圧Ｖｗ（Ｖ）を、第二行目の走査電極ＳＣＮ２に走査パルス電圧０（Ｖ）をそれぞれ印加する。このとき、所定のデータ電極と走査電極ＳＣＮ２との交差部における絶縁体層９の表面と走査電極ＳＣＮ２上の保護膜７の表面との間の電圧は、書き込みパルス電圧Ｖｗ（Ｖ）に所定のデータ電極上の絶縁体層９の表面の正の壁電圧が加算されたものとなるため、この交差部において、所定のデータ電極と走査電極ＳＣＮ２との間及び維持電極ＳＵＳ２と走査電極ＳＣＮ２との間に書き込み放電が起こり、この交差部の走査電極ＳＣＮ２上の保護膜７表面に正電圧が蓄積され、維持電極ＳＵＳ２上の保護膜７表面に負電圧が蓄積される。
【００１４】
同様な動作が引き続いて行われ、最後に、データ電極Ｄ１〜Ｄｍのうち、第ｎ行目に表示すべき放電セル１３に対応する所定のデータ電極に正の書き込みパルス電圧Ｖｗ（Ｖ）を、第ｎ行目の走査電極ＳＣＮｎに走査パルス電圧０（Ｖ）をそれぞれ印加する。このとき、所定のデータ電極と走査電極ＳＣＮｎとの交差部において、所定のデータ電極と走査電極ＳＣＮｎとの間及び維持電極ＳＵＳｎと走査電極ＳＣＮｎとの間に書き込み放電が起こり、この交差部の走査電極ＳＣＮｎ上の保護膜７表面に正電圧が蓄積され、維持電極ＳＵＳｎ上の保護膜７表面に負電圧が蓄積され、書き込み放電が起こったデータ電極上の絶縁体層９の表面に負電圧が蓄積される。以上により書き込み期間における書き込み動作が終了する。
【００１５】
続く維持期間において、先ず、全ての走査電極ＳＣＮ１〜ＳＣＮｎ及び維持電極ＳＵＳ１〜ＳＵＳｎを０（Ｖ）に一旦戻した後、全ての走査電極群ＳＣＮ１〜ＳＣＮｎに正の維持パルス電圧Ｖｍ（Ｖ）を印加すると、書き込み放電を起こした放電セル１３における走査電極ＳＣＮ１〜ＳＣＮｎ上の保護膜７と維持電極ＳＵＳ１〜ＳＵＳｎ上の保護膜７との間の電圧は、維持パルス電圧＋Ｖｍ（Ｖ）に、書き込み期間において蓄積された走査電極ＳＣＮ１〜ＳＣＮｎ上の保護膜７表面の正電圧及び維持電極ＳＵＳ１〜ＳＵＳｎ上の保護膜７表面の負電圧が加算されたものとなる。このため、書き込み放電を起こした放電セルにおいて、走査電極ＳＣＮ１〜ＳＣＮｎと維持電極ＳＵＳ１〜ＳＵＳｎとの間に維持放電が起こり、この維持放電を起こした放電セルにおける走査電極ＳＣＮ１〜ＳＣＮｎ上の保護膜７表面に負電圧が蓄積され、維持電極ＳＵＳ１〜ＳＵＳｎ上の保護膜７表面に正電圧が蓄積される。その後、維持パルス電圧は０（Ｖ）に戻る。
【００１６】
続いて、全ての維持電極ＳＵＳ１〜ＳＵＳｎに正の維持パルス電圧Ｖｍ（Ｖ）を印加すると、維持放電を起こした放電セル１３における維持電極ＳＵＳ１〜ＳＵＳｎ上の保護膜７と走査電極ＳＣＮ１〜ＳＣＮｎ上の保護膜７との間の電圧は、維持パルス電圧Ｖｍ（Ｖ）に、直前の維持放電によって蓄積された走査電極ＳＣＮ１〜ＳＣＮｎ上の保護膜７表面の負電圧及び維持電極ＳＵＳ１〜ＳＵＳｎ上の保護膜７表面の正電圧が加算されたものとなる。このため、この維持放電を起こした放電セルにおいて、維持電極ＳＵＳ１〜ＳＵＳｎと走査電極ＳＣＮ１〜ＳＣＮｎとの間に維持放電が起こることにより、その放電セルにおける維持電極ＳＵＳ１〜ＳＵＳｎ上の保護膜７表面に負電圧が蓄積され、走査電極ＳＣＮ１〜ＳＣＮｎ上の保護膜７表面に正電圧が蓄積される。その後、前記維持パルス電圧は０（Ｖ）に戻る。
【００１７】
以降同様に、全ての走査電極ＳＣＮ１〜ＳＣＮｎと全ての維持電極ＳＵＳ１〜ＳＵＳｎとに正の維持パルス電圧Ｖｍ（Ｖ）を交互に印加することにより、維持放電が継続して行われ、維持期間の最終において、全ての走査電極ＳＣＮ１〜ＳＣＮｎに正の維持パルス電圧Ｖｍ（Ｖ）を印加すると、維持放電を起こした放電セル１３における走査電極ＳＣＮ１〜ＳＣＮｎ上の保護膜７と維持電極ＳＵＳ１〜ＳＵＳｎ上の保護膜７との間の電圧は、維持パルス電圧Ｖｍ（Ｖ）に、直前の維持放電によって蓄積された走査電極ＳＣＮ１〜ＳＣＮｎ上の保護膜７表面の正電圧と維持電極ＳＵＳ１〜ＳＵＳｎ上の保護膜７表面の負電圧が加算されたものとなる。このため、この維持放電を起こした放電セルにおいて、走査電極ＳＣＮ１〜ＳＣＮｎと維持電極ＳＵＳ１〜ＳＵＳｎとの間に維持放電が起こることにより、その放電セルにおける走査電極ＳＣＮ１〜ＳＣＮｎ上の保護膜７表面に負電圧が蓄積され、維持電極ＳＵＳ１〜ＳＵＳｎ上の保護膜７表面に正電圧が蓄積される。その後、維持パルス電圧は０（Ｖ）に戻る。以上により維持期間の維持動作が終了する。この維持放電により発生する紫外線で励起された蛍光体層１２からの可視発光を表示に用いている。
【００１８】
続く消去期間において、全ての維持電極ＳＵＳ１〜ＳＵＳｎに０（Ｖ）から＋Ｖｅ（Ｖ）に向かって緩やかに上昇するランプ電圧を印加すると、維持放電を起こした放電セル１３において、走査電極ＳＣＮ１〜ＳＣＮｎ上の保護膜７と維持電極ＳＵＳ１〜ＳＵＳｎ上の保護膜７との間の電圧は、維持期間の最終時点における、走査電極ＳＣＮ１〜ＳＣＮｎ上の保護膜７表面の負電圧及び維持電極ＳＵＳ１〜ＳＵＳｎ上の保護膜７表面の正電圧がこのランプ電圧に加算されたものとなる。このため、維持放電を起こした放電セルにおいて、維持電極ＳＵＳ１〜ＳＵＳｎと走査電極ＳＣＮ１〜ＳＣＮｎとの間に微弱な消去放電が起こり、走査電極ＳＣＮ１〜ＳＣＮｎ上の保護膜７表面の負電圧と維持電極ＳＵＳ１〜ＳＵＳｎ上の保護膜７表面の正電圧が弱められて維持放電は停止する。以上により消去期間における消去動作が終了する。
【００１９】
ただし、以上の動作において、表示が行われない放電セルに関しては、初期化期間に初期化放電は起こるが、書き込み放電、維持放電及び消去放電は行われず、表示が行われない放電セルの走査電極ＳＣＮ１〜ＳＣＮｎと維持電極ＳＵＳ１〜ＳＵＳｎの保護膜７の表面の壁電圧、及びデータ電極Ｄ１〜Ｄｍ上の絶縁体層９の表面の壁電圧は、初期化期間の終了時の状態のまま保たれる。
【００２０】
【発明が解決しようとする課題】
しかし、このようなパネル構造、駆動方法を用いた場合、第２基板上の赤、緑、青の蛍光体層の影響により、データ電極をカソードとし、走査電極をアノードとした放電の開始電圧に差が発生する。一般的には、緑の蛍光体層のある放電セルの放電開始電圧が最も高く、ついで、赤、青の順である。そのために、赤と青の放電セル内部の放電量が緑に比べて多いため、初期化期間中の微弱放電による発光色が紫色になる。黒表示時には初期化期間の微弱放電の色が、そのまま表示されるために、「黒表示なのに紫色」となってしまうという課題がある。
【００２１】
先の従来例の初期化の場合に、データ電極と走査電極間の放電と走査電極と維持電極間の放電がほぼ同時に発生する。走査電極と維持電極の放電には、蛍光体層の影響が少ないので全色同等の放電、同等の発光が行われ、全体の色としての「紫色」は軽減されている。
【００２２】
しかし近年、黒表示のときの輝度を低下させるために初期化期間の発光を抑える取り組みがなされており、その方式のひとつとして１フィールド中の少なくともひとつのサブフィールドの初期化期間は、走査電極と維持電極間での微弱な放電を積極的に行わず、データ電極と走査電極間の微弱放電のみを行う駆動方法がある。この駆動方式の場合には、先の「黒表示のときに紫色」という課題が顕著になってくる。
【００２３】
本発明はこのような課題を解決し、プラズマディスプレイの黒表示時、あるいは低階調を表示するときの映像品位を向上させることを目的とするものである。
【００２４】
【課題を解決するための手段】
上記目的を達成するために本発明は、プラズマディスプレイパネルに、初期化期間、書き込み期間、維持期間を設けて表示駆動するプラズマディスプレイの駆動方法であって、初期化期間において、赤、緑、青の放電セルに対応する第３電極のうち、一種類以上の第３電極に他と異なる正の電圧を印加するものである。
【００２５】
【発明の実施の形態】
すなわち、本発明の請求項１に記載の発明は、第１電極と第２電極が互いに平行に配置された第１基板と、前記第１電極及び第２電極と直交するように赤、緑、青の放電セルに対応させて第３電極を配置した第２基板とを備え、前記第１基板と第２基板とを対向配置して構成したプラズマディスプレイパネルに、初期化期間、書き込み期間、維持期間を設けて表示駆動するプラズマディスプレイの駆動方法であって、初期化期間において、赤、緑、青の放電セルに対応する第３電極のうち、一種類以上の第３電極に他と異なる正の電圧を印加することを特徴とする。
【００２６】
また、請求項２に記載の発明は、請求項１において、第１電極及び第２電極のうち、初期化期間に初期化電圧が印加される側の電極と第３電極間の放電開始電圧によって、初期化期間の第３電極の電位を決めることを特徴とし、請求項３に記載の発明は、請求項２において、放電開始電圧が低い第３電極に高い電圧を印加することを特徴とする。
【００２７】
また、請求項４に記載の発明は、請求項１において、初期化期間において、第３電極に印加する正の電圧の印加期間が、赤、緑、青の放電セルに対応する第３電極のうちの一種類以上において異なることを特徴とし、請求項５に記載の発明は、請求項４において、第１電極及び第２電極のうち、初期化期間に初期化電圧が印加される側の電極と第３電極間の放電開始電圧によって、初期化期間の第３電極に印加する正の電圧の印加期間を決めることを特徴とする。
【００２８】
さらに、請求項６に記載の発明は、請求項１において、第３電極に印加する電圧が、緩やかに上昇する部分を含むことを特徴とし、請求項７に記載の発明は、請求項１において、第３電極に印加する電圧が、ランプ状に変化する部分を含むことを特徴とし、請求項８に記載の発明は、請求項１において、第３電極に印加する電圧が、指数関数的に変化する部分を含むことを特徴とする。
【００２９】
以下、本発明の一実施の形態によるプラズマディスプレイの駆動方法について、図１〜図３を用いて説明する。
【００３０】
（実施の形態１）
図１に本発明の実施の形態１によるプラズマディスプレイの駆動方法において、初期化期間のパネル駆動波形を示している。なお、パネル構造及び初期化期間のデータ電極と走査電極との放電を除く駆動方法は、従来の技術で説明した内容と同じである。
【００３１】
図１に示すように、初期化期間の前半の初期化動作において、維持電極ＳＵＳ１〜ＳＵＳｎを０（Ｖ）に保持する。全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を越える電圧Ｖｒ（Ｖ）に向かって緩やかに上昇するランプ電圧を印加する。このとき赤の蛍光体層の放電セルの書き込み動作を制御するデータ電極Ｄ１、Ｄ４、…、Ｄｍ−２にはＶｗＲ（Ｖ）、緑の蛍光体層の放電セルの書き込み動作を制御するデータ電極Ｄ２、Ｄ５、…、Ｄｍ−１にはＶｗＧ（Ｖ）、このとき青の蛍光体層の放電セルの書き込み動作を制御するデータ電極Ｄ３、Ｄ６、…、ＤｍにはＶｗＢ（Ｖ）を同じタイミングで印加する。データ電極をカソード、走査電極をアノードとして放電させるときには、蛍光体の帯電特性などの影響を大きく受ける。図１中の駆動波形は、放電開始電圧が青の放電セル＜赤の放電セル＜緑の放電セルであるＰＤＰを駆動している。
【００３２】
ここで、放電開始電圧が、赤の放電セルがＶｒ−１８０（Ｖ）、緑の放電セルがＶｒ−１４０（Ｖ）、青の放電セルがＶｒ−２００（Ｖ）であったとする。微弱な初期化放電の時、放電セル内部には外部からの印加電圧（＝走査電極印加電圧―データ電極印加電圧）と放電開始電圧の差分の壁電荷が発生し、壁電圧を形成する。
【００３３】
赤の放電セル、緑の放電セル、青の放電セルのデータ電極の印加電圧が、ＶｗＲ（Ｖ）＝ＶｗＧ（Ｖ）＝ＶｗＢ（Ｖ）＝０（Ｖ）とすると、壁電圧はそれぞれ１８０（Ｖ）、１４０（Ｖ）、２００（Ｖ）となる、この壁電圧を発生するときの壁電荷の移動量（＝放電量）の差が発光の差となって現れる。
【００３４】
よって、図１に示すように、データ電極Ｄ１〜Ｄｍにはそれぞれの放電セルの色に対応したＶｗＲ（Ｖ）、ＶｗＧ（Ｖ）、ＶｗＢ（Ｖ）を印加する。緑の放電セルが、最も放電開始電圧が高いので、ＶｗＧ（Ｖ）１４０−１４０＝０（Ｖ）とし、ＶｗＲ（Ｖ）＝１８０−１４０＝４０（Ｖ）、ＶｗＢ（Ｖ）＝２００−１４０＝６０（Ｖ）とする。
【００３５】
まず、全ての走査電極ＳＣＮ１〜ＳＣＮｎに印加するランプ電圧が上昇していくと、全ての放電セル１３において、第一に、全ての走査電極ＳＣＮ１〜ＳＣＮｎと青の放電セルを駆動するデータ電極Ｄ３、Ｄ６、…Ｄｍの間で微弱な初期化放電が始まり、ついで、走査電極ＳＣＮ１〜ＳＣＮｎと赤の放電セルを駆動するデータ電極Ｄ１、Ｄ４、…Ｄｍ−２の間で放電が始まり、最後に走査電極ＳＣＮ１〜ＳＣＮｎと緑の放電セルを駆動するデータ電極Ｄ２、Ｄ５、…Ｄｍ−１の間で微弱な初期化放電が始まる。走査電極ＳＣＮ１〜ＳＣＮｎ上の保護膜７の表面に負の壁電圧が蓄積されるとともに、データ電極Ｄ１〜Ｄｍ上の絶縁体層９の表面に正の壁電圧が蓄積されていく。
【００３６】
次に、走査電極ＳＣＮ１〜ＳＣＮｎへの印加電圧が上昇中にデータ電極Ｄ１、Ｄ４、…、Ｄｍ−２にはＶｗＲ（Ｖ）＝４０（Ｖ）、データ電極Ｄ３、Ｄ６、…、ＤｍにはＶｗＢ（Ｖ）＝６０（Ｖ）を同じタイミングで印加する。すると赤の放電セルのデータ電極Ｄ１、Ｄ４、…、Ｄｍ−２、青の放電セルのデータ電極Ｄ３、Ｄ６、…、Ｄｍと走査電極ＳＣＮ１〜ＳＣＮｎ間が放電開始電圧以下となり、青の放電セルと赤の放電セル内の微弱放電がとまる。さらに、走査電極ＳＣＮ１〜ＳＣＮｎにランプ電圧を上昇させ続けると放電開始以上となり、再び微弱放電が始まる。その結果、赤の放電セル、緑の放電セル、青の放電セル内部では、等しく壁電荷１４０（Ｖ）を形成する。
【００３７】
なお、赤の放電セル内の壁電圧が１４０（Ｖ）蓄積した後や、青の放電セル内に壁電圧１４０（Ｖ）がすでに蓄積した後に、ＶｗＲ（Ｖ）、ＶｗＢ（Ｖ）を印加した場合には微弱放電は再開しない。
【００３８】
緑の放電セルは走査電極ＳＣＮ１〜ＳＣＮｎがＶｒ（Ｖ）に達するまで中断することなく微弱放電を続け、１４０Ｖの壁電荷が蓄積される。
【００３９】
なお、初期化期間の後半の初期化動作は、従来と同じであり、説明を省略する。
【００４０】
以上のように初期化期間中に赤、緑、青の放電セルのデータ電極に異なる正の電圧を印加することで、放電量を制御し等しく発光させることで黒表示時や低階調を表示するときの映像品位を向上させることができる。
【００４１】
（実施の形態２）
図２に本発明の実施の形態２によるプラズマディスプレイの駆動方法において、初期化期間のパネル駆動波形を示している。図２中の駆動波形は、放電開始電圧が青の放電セル＜赤の放電セル＜緑の放電セルであるＰＤＰを駆動している。パネル構造及び初期化期間のデータ電極と走査電極との放電を除く駆動方法は、従来の技術で説明した内容と同じである。
【００４２】
図２に示すように初期化期間の前半の初期化動作において、維持電極ＳＵＳ１〜ＳＵＳｎを０（Ｖ）に保持する。全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を越える電圧Ｖｒ（Ｖ）に向かって緩やかに上昇するランプ電圧を印加する。このとき、赤の蛍光体層の放電セルの書き込み動作を制御するデータ電極Ｄ１、Ｄ４、…、Ｄｍ−２、及び青の蛍光体層の放電セルの書き込み動作を制御するデータ電極Ｄ３、Ｄ６、…、ＤｍにはＶｗ２（Ｖ）を異なるタイミングで印加する。また、放電開始電圧の最も高い緑の蛍光体層の放電セルの書き込み動作を制御するデータ電極Ｄ２、Ｄ５、…、Ｄｍ−１は０（Ｖ）印加しておく。
【００４３】
上記実施の形態１と同様に、放電開始電圧が、赤のセルがＶｒ−１８０（Ｖ）、緑の放電セルがＶｒ−１４０（Ｖ）、青の放電セルがＶｒ−２００（Ｖ）であったとする。Ｖｗ２（Ｖ）の下限値は、青の放電セルと赤の放電セルのうち低いほうの放電開始電圧と緑のセルの放電開始電圧との差の電圧である。よって、Ｖｗ２（Ｖ）＝（Ｖｒ−１４０）−（Ｖｒ−２００）＝６０（Ｖ）以上必要である。
【００４４】
まず、全ての走査電極ＳＣＮ１〜ＳＣＮｎに印加するランプ電圧が上昇していくと、全ての放電セル１３において、第１に、全ての走査電極ＳＣＮ１〜ＳＣＮｎと青の放電セルを駆動するデータ電極Ｄ３、Ｄ６、…Ｄｍの間で微弱な初期化放電が始まり、ついで走査電極ＳＣＮ１〜ＳＣＮｎと赤の放電セルを駆動するデータ電極Ｄ１、Ｄ４、…Ｄｍ−２の間で放電が始まり、最後に走査電極ＳＣＮ１〜ＳＣＮｎと緑の放電セルを駆動するデータ電極Ｄ２、Ｄ５、…Ｄｍ−１の間で微弱な初期化放電が始まる。走査電極ＳＣＮ１〜ＳＣＮｎ上の保護膜７の表面に負の壁電圧が蓄積されるとともに、データ電極Ｄ１〜Ｄｍ上の絶縁体層９の表面に正の壁電圧が蓄積されていく。
【００４５】
次に、走査電極ＳＣＮ１〜ＳＣＮｎに印加される電圧がＶｒ−６０（Ｖ）付近まで上昇したら、データ電極Ｄ３、Ｄ６、…、ＤｍにＶｗ２（Ｖ）＝６０（Ｖ）を印加する。すると、青の放電セル内のデータ電極Ｄ３、Ｄ６、…、Ｄｍと走査電極間ＳＣＮ１〜ＳＣＮｎ間が放電開始電圧以下となり、微弱放電が終了する。この時点で、青の放電セルには、（Ｖｒ−６０）−（Ｖｒ−２００）＝１４０（Ｖ）の壁電圧が蓄積している。次に、走査電極ＳＣＮ１〜ＳＣＮｎに印加される電圧が、Ｖｒ−４０（Ｖ）付近まで上昇したらデータ電極Ｄ３、Ｄ６、…、Ｄｍにｗ２（Ｖ）＝６０（Ｖ）を印加する。すると、赤の放電セル内のデータ電極と走査電極間は放電開始電圧以下となり、微弱放電が終了する。赤の放電セルには、（Ｖｒ−４０）−（Ｖｒ−１８０）＝１４０（Ｖ）の壁電圧が蓄積している。緑の放電セルのみが、走査電極ＳＣＮ１〜ＳＣＮｎがＶｒ（Ｖ）に達するまで微弱放電を続け、微弱放電終了時には、Ｖｒ−（Ｖｒ−１４０）＝１４０（Ｖ）の壁電荷が蓄積される。なお、初期化期間の後半の初期化動作は、従来と同じであり、説明を省略する。そして、初期化期間前半は等しく壁電荷１４０（Ｖ）を形成するための放電が行われ、初期化期間の発光は３色とも同程度となる。
【００４６】
以上のように初期化期間に赤、緑、青の放電セルのデータ電極にＧＮＤとは別の一種類の電圧を印加することで、比較的容易に放電量を制御することができ、発光黒表示時や低階調を表示するときの映像品位を向上させることができる。
【００４７】
（実施の形態３）
図３に本発明の実施の形態３によるプラズマディスプレイの駆動方法において、初期化期間のパネル駆動波形を示している。パネル構造及び初期化期間のデータ電極と走査電極との放電を除く駆動方法は、従来の技術で説明した内容と同じである。
【００４８】
上記実施の形態１と同様に、放電開始電圧が、赤のセルがＶｒ−１８０（Ｖ）、緑の放電セルがＶｒ−１４０（Ｖ）、青のセルがＶｒ−２００（Ｖ）であったとする。緑の放電セルが、最も放電開始電圧が高いのでＶｗＧ（Ｖ）＝０（Ｖ）とする。
【００４９】
まず、全ての走査電極ＳＣＮ１〜ＳＣＮｎに印加するランプ電圧が上昇していくと、全ての放電セル１３において、第一に、全ての走査電極ＳＣＮ１〜ＳＣＮｎと青の放電セルを駆動するデータ電極Ｄ３、Ｄ６、…Ｄｍの間で微弱な初期化放電が始まり、ついで走査電極ＳＣＮ１〜ＳＣＮｎと赤の放電セルを駆動するデータ電極Ｄ１、Ｄ４、…Ｄｍ−２の間で放電が始まり、最後に走査電極ＳＣＮ１〜ＳＣＮｎと緑の放電セルを駆動するデータ電極Ｄ２、Ｄ５、…Ｄｍ−１の間で微弱な初期化放電が始まる。走査電極ＳＣＮ１〜ＳＣＮｎ上の保護膜７の表面に負の壁電圧が蓄積されるとともに、データ電極Ｄ１〜Ｄｍ上の絶縁体層９の表面正の壁電圧が蓄積されていく。
【００５０】
次に、走査電極ＳＣＮ１〜ＳＣＮｎに印加される電圧がＶｒ−６０（Ｖ）付近まで上昇したら、走査電極ＳＣＮ１〜ＳＣＮｎに印加される電圧波形と同じ電圧／時間の傾きをもつ電圧をデータ電極Ｄ３、Ｄ６、…、Ｄｍに印加する。すると、青の放電セル内のデータ電極Ｄ３、Ｄ６、…、Ｄｍと走査電極間ＳＣＮ１〜ＳＣＮｎ間は放電開始電圧に近い状態を、走査電極ＳＣＮ１〜ＳＣＮｎがＶｒ（Ｖ）に達するまで保持する。続いて、走査電極ＳＣＮ１〜ＳＣＮｎに印加される電圧が、Ｖｒ−４０（Ｖ）付近まで、上昇したら青の放電セルと同様に赤の放電セルのデータ電極Ｄ１、Ｄ４、…、Ｄｍ−２に走査電極ＳＣＮ１〜ＳＣＮｎに印加される電圧波形と同じ電圧／時間の傾きをもつ電圧を印加する。すると、赤の放電セル内のデータ電極Ｄ１、Ｄ４、…、Ｄｍ−２と走査電極間ＳＣＮ１〜ＳＣＮｎ間も放電開始電圧に近い状態を、走査電極ＳＣＮ１〜ＳＣＮｎがＶｒ（Ｖ）に達するまで保持する。この結果、青の放電セルには、（Ｖｒ−６０）−（Ｖｒ−２００）＝１４０（Ｖ）の壁電圧、赤の放電セルには、（Ｖｒ−４０）−（Ｖｒ−１８０）＝１４０（Ｖ）の壁電圧が発生している。緑の放電セルは走査電極ＳＣＮ１〜ＳＣＮｎがＶｒ（Ｖ）に達するまで中断することなく微弱放電を続け、微弱放電終了時には、Ｖｒ−（Ｖｒ−１４０）＝１４０（Ｖ）の壁電荷が蓄積される。途中、赤や青の放電セル内部の壁電圧が外部からの影響を受けて減少したとしても、それぞれのデータ電極と走査電極間は放電開始電圧で維持されているため、減少したら、すぐさま微弱放電を行うため不足分を補うことができる。なお、初期化期間の後半の初期化動作は、従来と同じであり、説明を省略する。
【００５１】
以上のように初期化前半の期間に、赤、緑、青の放電セルのデータ電極に走査電極に印加する電圧波形と同じ電圧／時間の傾きをもつ電圧を印加することで、蓄積される壁電圧を同じにし、また一時的に壁電圧が減少したとしてもその分の壁電荷を直ちに補うことが安定して行えるので、安定な放電を維持しつつ、黒色は表示のときの着色を防ぐことができる。
【００５２】
【発明の効果】
以上の説明から明らかなように、本発明にかかるプラズマディスプレイの駆動方法によれば、初期化期間の赤、緑、青の放電セルの放電時間、放電量を制御することができるので、発光黒表示時や低階調を表示するときの映像品位を向上させることができる。
【図面の簡単な説明】
【図１】本発明の実施の形態１によるプラズマディスプレイの駆動方法において、初期化期間のパネル駆動波形を示す波形図
【図２】本発明の実施の形態２によるプラズマディスプレイの駆動方法において、初期化期間のパネル駆動波形を示す波形図
【図３】本発明の実施の形態３によるプラズマディスプレイの駆動方法において、初期化期間のパネル駆動波形を示す波形図
【図４】一般的なプラズマディスプレイパネルの構成を示す斜視図
【図５】従来のプラズマディスプレイパネルの電極配列を示す説明図
【図６】従来のプラズマディスプレイの駆動動作タイミング図
【符号の説明】
１、８　基板
２　走査電極
３　維持電極
１０　データ電極
１２　蛍光体層
１３　放電セル
【図１】
2004069734.tif 000003
【図２】
2004069734.tif 000004
【図３】
2004069734.tif 000005
【図４】
2004069734.tif 000006
【図５】
2004069734.tif 000007
【図６】
2004069734.tif 000008